(57)【特許請求の範囲】
【請求項１】
塾側及び家庭側電話機の電話番号が登録されたＩＣカードと、ＩＣカードの電話番号を読み取って自動発信するとともに、少なくとも表示機能を有する塾側及び家庭側電話機、塾側電話機にネットワーク接続された塾生に関するデータを管理するデータベースサーバを備え、
塾側電話機は、ＩＣカードがセットされると登録された電話番号を読み取って、所定時間経過後自宅へ自動発信してメッセージを送信し、
家庭側電話機は、ＩＣカードがセットされると登録された電話番号を読み取って、塾へ自動発信し、ＩＣカードの認証成立を条件に前記データベースサーバから送信される塾生に関するデータを受信することを特徴とする塾生管理システム。
【請求項２】
塾側及び家庭側電話機の電話番号が登録された加入者識別モジュールが装着された携帯電話機と、加入者識別モジュールに登録された電話番号情報を読み取って自動発信するとともに、少なくとも表示機能を有する塾側及び家庭側電話機、塾側電話機にネットワーク接続された塾生に関するデータを管理するデータベースサーバを備え、塾側電話機は、加入者識別モジュールが装着された携帯電話機が、塾側電話機との通信エリア内にセットされると、加入者識別モジュールの電話番号情報を読み取って、所定時間経過後自宅へ自動発信してメッセージを送信し、
家庭側電話機は、加入者識別モジュールが装着された携帯電話機が、家庭側電話機との通信エリア内にセットされると、加入者識別モジュールに登録された電話番号情報を読み取って、塾へ自動発信し、加入者識別モジュールの認証成立を条件に前記データベースサーバから送信される塾生に関するデータを受信することを特徴とする塾生管理システム。
【請求項３】
塾側電話機は、ＩＣカードがセットされたとき、または加入者識別モジュールが装着された携帯電話機が、塾側電話機との通信エリア内にセットされたとき、当該ＩＣカードまたは加入者識別モジュールの塾生の出席情報をデータベースサーバに転送することを特徴とする請求項１または２記載の塾生管理システム。
【請求項４】
塾側電話機が自動発信するメッセージは、塾に着いたこと／帰路についたことを知らせるメッセージであることを特徴とする請求項１または２記載の塾生管理システム。
【発明の詳細な説明】
【０００１】
【発明の属する技術分野】
本発明は学習塾などに通う子供を家庭および塾の双方で管理するシステムに関する。
【０００２】
【従来の技術及び発明が解決しようとする課題】
近年、塾に通う子供達はきわめて多いが、行き帰りが夜間にかかる場合もあるため家庭では無事に塾に着いたか、安全に帰路についているか心配である。しかし、現状では子供自身が電話をしなければ、家庭では子供が無事に塾に着いたことが分からないし、子供が塾から出たことも分からず、安全を確認することができない。また、家庭と塾の双方にとって、塾通いの管理を簡便に行うことができないのが実情である。
【０００３】
本発明はかかる事情に鑑みてなされたもので、家庭では塾通いの安全確認ができると共に、塾側では出欠管理を容易に行えるようにすることを目的とする。
【０００４】
【課題を解決するための手段】
本発明は、子供のＩＣカードや加入者識別モジュール、ＩＣカード読み取り表示機能のついた電話機や加入者識別モジュールが装着された携帯電話機を用い、塾では出欠管理を省力化するとともに、家庭では子供が塾に着いた時、帰宅時の通知を行い、また、ＩＣカードや加入者識別モジュールで認証を行うことにより、家庭から塾のテスト結果を随時引出して電話機に表示するようにしたことを特徴とする。
【０００５】
【発明の実施の形態】
以下、本発明の実施の形態について説明する。
図１は本発明のシステムを説明する概念図で、図１（ａ）は塾側電話機を、図１（ｂ）は家庭側電話機を示しており、図２はＩＣカードの不揮発性メモリに格納された内容を説明する図である。
塾側電話機１、家庭側電話機２はそれぞれ電話機機能部の他に、データ処理部、表示部（必要に応じて音声出力機能を設けてもよい）を備えており、データ処理部はＩＣカード３と通信してその内容を読み取ったり、書き込んだりする機能を有し、さらに、塾側の電話機には、塾生である子供の出欠状況、テスト結果等を管理するデータベースサーバ４が接続され、データベース５の更新、参照等の管理を行っている。
【０００６】
図２に示すように、ＩＣカードの不揮発性メモリには、塾の電話番号、子供の自宅の電話番号、パスワード、メッセージ等が登録されており、子供が塾についたときや帰宅時にＩＣカードを電話機にセットする。電話機へのセットの態様としては、例えば、
▲１▼塾に着く→ＩＣカードを差し込む→ＩＣカードを抜く→塾での勉強→帰宅時ＩＣカードを差し込む→ＩＣカードを抜く。
▲２▼塾に着く→ＩＣカードを差し込む→塾での勉強→帰宅時ＩＣカードを差し込む→ＩＣカードを抜く。
のようなパターンがある。これらの態様でＩＣカードを電話機にセットすると、登録された電話番号を読み取るとともにその時間を記憶しておき、家庭側電話機へ、リアルタイムで、またはバッチ処理してまとめて、所定時間後に自動的に発信され、塾到着や帰宅を示す旨のメッセージが公衆回線６を通して送られ、同時に出欠情報がデータベースサーバ４に送られてデータベース５が更新される。もちろん、メッセージは電話機自体に格納しておくようにしてもよい。また、家庭側電話機にＩＣカードをセットすると、登録された電話番号を読み取って塾側電話機に自動的に発信され、接続された状態においてＩＣカードのパスワードにより認証が行われ、認証が成立すると、データベースサーバ４からデータが送信される。この場合、送信されるデータのメニュー、例えば、出欠状況、テスト（例、学科ごとの成績、月別の成績）等が電話機の表示部に表示されるようになっており、このメニューはＩＣカードや電話機に格納しておくか、あるいはデータベースサーバから送信するなど適宜選択すればよい。
（実施例）
図３は塾側電話機から家庭側電話機へメッセージを送信する場合の説明図であり、この図に基づいて手順の例を説明する。
・子供が塾に着いたとき、自宅の電話番号が登録されたＩＣカードを電話機に挿入すると、電話機は電話番号を読み取り、自動的に自宅へ通知し、自宅では電話機の表示部、或いは音声出力で子供が塾に着いたことを知らせ、塾ではその子供の出席をデータベース５へ記録する。
・帰宅時に子供が塾の電話機へＩＣカードを挿入すると、自宅の電話番号を読み取り、自動的に自宅へ通知する。自宅では電話機の表示部、或いは音声出力で子供の塾が終わったことを知らせ、塾ではその子供が塾から出たことをデータベース５へ記録する。
【０００７】
図４は家庭から塾に対して塾生のデータを受け取る場合の説明図であり、この図に基づいてその手順の例を説明する。
・塾ではテスト結果をその都度データベースへ記録する。
・家庭側電話機にＩＣカードを挿入すると、電話機はＩＣカードに登録された塾の電話番号を読み取り、自動的に塾へ発信する。接続された状態で、ＩＣカードの認証が成立するとメニューが電話機に表示される。表示されたメニューからテストを選ぶと、データベースサーバ４がテスト結果を読み取って送信し、家庭側電話機に表示される。
【０００８】
なお、上記説明ではＩＣカードを用い、これを電話機にセットすると自動発信してメッセージを送信するようにしているが、ＩＣカードに代えて携帯電話の機能を実現するプログラムをＩＣチップに組み込んだプラグイン形状の加入者識別モジュール（Ｓｕｂｓｃｒｉｂｅｒ  Ｉｄｅｎｔｉｆｙ  Ｍｏｄｕｌｅ：略してＳＩＭ）を用いるようにしてもよい。この場合は、ＳＩＭを装着した携帯電話機が、例えば、近距離無線通信（例、ブルートゥース等）により塾側電話機や家庭側電話機と通信可能エリア内に入ったとき、塾側電話機や家庭側電話機が携帯電話機と通信することで加入者識別モジュールの情報を読み取り、自動発信が行われるようにする。
【０００９】
【発明の効果】
本発明によれば、塾側では出欠管理の省力化となり、家庭では深夜の塾通いの安全確認を行うことができるとともに、塾への出席状況、成績などを容易に把握することができる。
【図面の簡単な説明】
【図１】  本発明のシステムを説明する概念図である。
【図２】  ＩＣカードの不揮発性メモリの内容を説明する図である。
【図３】  塾側から家庭へメッセージを送信する場合の説明図である。
【図４】  家庭から塾に対して塾生のデータを受け取る場合の説明図である。
【符号の説明】
１…塾側電話機、２…家庭側電話機、３…ＩＣカード、４…データベースサーバ、５…データベース、６…公衆回線。
【図１】
0004535417.tif 000002
【図２】
0004535417.tif 000003
【図３】
0004535417.tif 000004
【図４】
0004535417.tif 000005